(57)【特許請求の範囲】
【請求項１】
第１画像情報、及び第２画像情報を取得する取得手段と、
前記第１画像情報が表す第１画像、及び前記第２画像情報が表す第２画像を、表示面に表示する制御を行う表示制御手段と、
指示体により指示された前記表示面上の位置を検出する検出手段と、
前記第１画像が表示された領域で検出された前記位置に基づいて、前記第１画像から切り出す領域を設定し、前記第２画像が表示された領域で検出された前記位置に基づいて、前記第２画像から切り出す領域を設定する設定手段と
を備え、
前記表示制御手段は、
前記表示面を第１領域、及び第２領域を含む複数の領域に分割し、
前記第１画像情報に基づいて、前記第１画像から切り出した領域の第３画像を前記第１領域に表示し、前記第２画像情報に基づいて、前記第２画像から切り出した領域の第４画像を前記第２領域に表示し、
前記指示体として、第１指示体と、前記第１指示体とは異なる第２指示体とがあり、
前記設定手段は、
前記第１指示体が用いられた場合には、前記第１領域で検出された前記位置に基づいて、前記第１画像から切り出す領域を移動させ、前記第２領域で検出された前記位置に基づいて、前記第２画像から切り出す領域を移動させ、
前記第２指示体が用いられた場合には、前記第１領域で検出された前記位置に基づいて、前記第１画像から切り出す領域を拡大又は縮小し、前記第２領域で検出された前記位置に基づいて、前記第２画像から切り出す領域を拡大又は縮小する
ことを特徴とする表示装置。
【請求項２】
前記第１指示体は操作デバイスであり、
前記第２指示体は、前記第１指示体とは異なる操作デバイス、またはユーザーの手もしくは指である
ことを特徴とする請求項１に記載の表示装置。
【請求項３】
前記第１指示体はユーザーの手または指であり、
前記第２指示体は、操作デバイスである
ことを特徴とする請求項１に記載の表示装置。
【請求項４】
前記設定手段は、
前記第１画像が表示された領域において、前記指示体により指示された領域を、前記第１画像から切り出す領域に設定し、
前記第２画像が表示された領域において、前記指示体により指示された領域を、前記第２画像から切り出す領域に設定する
ことを特徴とする請求項１から請求項３のいずれか１項に記載の表示装置。
【請求項５】
前記設定手段は、
前記第１画像が表示された領域において、前記指示体により指示された領域、及び当該領域に隣り合う領域を、前記第１画像から切り出す領域に設定し、
前記第２画像が表示された領域において、前記指示体により指示された領域、及び当該領域に隣り合う領域を、前記第２画像から切り出す領域に設定する
ことを特徴とする請求項１から請求項４のいずれか１項に記載の表示装置。
【請求項６】
前記設定手段は、
前記第１領域のアスペクト比と同じアスペクト比で、前記第１画像から切り出す領域を設定し、
前記第２領域のアスペクト比と同じアスペクト比で、前記第２画像から切り出す領域を設定する
ことを特徴とする請求項１から請求項５のいずれか１項に記載の表示装置。
【請求項７】
第１画像情報、及び第２画像情報を取得するステップと、
前記第１画像情報が表す第１画像、及び前記第２画像情報が表す第２画像を、表示面に表示するステップと、
指示体により指示された前記表示面上の位置を検出するステップと、
前記第１画像が表示された領域で検出した前記位置に基づいて、前記第１画像から切り出す領域を設定し、前記第２画像が表示した領域で検出された前記位置に基づいて、前記第２画像から切り出す領域を設定するステップと、
前記表示面を第１領域、及び第２領域を含む複数の領域に分割し、
前記第１画像情報に基づいて、前記第１画像から切り出した領域の第３画像を前記第１領域に表示し、前記第２画像情報に基づいて、前記第２画像から切り出した領域の第４画像を前記第２領域に表示するステップと
を備え、
前記指示体として、第１指示体と、前記第１指示体とは異なる第２指示体とがあり、
前記設定ステップは、
前記第１指示体が用いられた場合には、前記第１領域で検出された前記位置に基づいて、前記第１画像から切り出す領域を移動させ、前記第２領域で検出された前記位置に基づいて、前記第２画像から切り出す領域を移動させ、
前記第２指示体が用いられた場合には、前記第１領域で検出された前記位置に基づいて、前記第１画像から切り出す領域を拡大又は縮小し、前記第２領域で検出された前記位置に基づいて、前記第２画像から切り出す領域を拡大又は縮小する
ることを特徴とする表示方法。
【発明の詳細な説明】
【技術分野】
【０００１】
本発明は、単一の画面を複数の領域に分割し、各領域に画像を表示する技術に関する。
【背景技術】
【０００２】
複数の映像の信号源（映像ソース）からの信号に基づいて、単一の画面上に複数の映像を表示する技術として、特許文献１，２に開示された技術がある。特許文献１は、１つの画面を複数の画面領域に分割して、それぞれの領域に異なる映像を表示することを開示している。特許文献２は、親画面表示画像と子画面表示画像とが、任意に設定された位置及び大きさで配置された１つの合成画像を作成し、この合成画像を表示することを開示している。
【先行技術文献】
【特許文献】
【０００３】
【特許文献１】特開２０１１−３５４５４号公報
【特許文献２】特開２００５−２１５３７５号公報
【発明の概要】
【発明が解決しようとする課題】
【０００４】
複数の映像を単一の画面上に表示した場合、各映像の表示領域が小さくなるため、映像の視認性（視認のしやすさ）が問題となりやすい。この視認性の問題は、映像の一部の領域を切り出して拡大表示させることにより、改善が期待できる。しかし、例えばプロジェクターに接続された複数の信号源の映像を、単一の画面上に表示する場合、信号源となる各機器をユーザーが個別に操作しなければならない。この操作が、ユーザーにとって煩わしい場合がある。例えば、複数のプレゼンテーション資料を参照しながら、ユーザーがプレゼンテーションを行う場合、拡大表示のための操作を行う機会が多くなる。この操作が、プレゼンテーションの進行を妨げる原因となることがある。
なお、特許文献２には、ユーザーのどのような操作により、親画面表示画像と子画面表示画像との位置及び大きさが設定されるかについて記載されていない。
本発明は、上述した事情に鑑みてなされたもので、その目的の一つは、単一の画面を複数の領域に分割して、各領域にユーザーが指示した画像を表示するための操作を容易にするための技術を提供することである。
【課題を解決するための手段】
【０００５】
上記目的を達成するために、本発明に係る表示装置は、第１画像情報、及び第２画像情報を取得する取得手段と、前記第１画像情報が表す第１画像、及び前記第２画像情報が表す第２画像を、表示面に表示する制御を行う表示制御手段と、指示体により指示された前記表示面上の位置を検出する検出手段と、前記第１画像が表示された領域で検出された前記位置に基づいて、前記第１画像から切り出す領域を設定し、前記第２画像が表示された領域で検出された前記位置に基づいて、前記第２画像から切り出す領域を設定する設定手段とを備え、前記表示制御手段は、前記表示面を第１領域、及び第２領域を含む複数の領域に分割し、前記第１画像情報に基づいて、前記第１画像から切り出した領域の第３画像を前記第１領域に表示し、前記第２画像情報に基づいて、前記第２画像から切り出した領域の第４画像を前記第２領域に表示することを特徴とする。
この発明によれば、画像が表示された領域で指示された位置に基づいて、当該画像から切り出す領域を設定するため、単一の画面を複数の領域に分割して、各領域にユーザーが指示した画像を表示するための操作を容易にするための技術を提供することができる。
【０００６】
本発明において、前記設定手段は、前記第１領域で検出された前記位置に基づいて、前記第１画像から切り出す領域を移動させ、前記第２領域で検出された前記位置に基づいて、前記第２画像から切り出す領域を移動させてもよい。
この発明によれば、単一の画面における複数の領域の各領域で検出された位置に基づいて、画像を切り出す領域を移動させるため、当該移動のための操作を容易にすることができる。
【０００７】
本発明において、前記設定手段は、前記第１領域で検出された前記位置に基づいて、前記第１画像から切り出す領域を拡大又は縮小し、前記第２領域で検出された前記位置に基づいて、前記第２画像から切り出す領域を拡大又は縮小してもよい。
この発明によれば、単一の画面における複数の領域の各領域で検出された位置に基づいて、画像を切り出す領域を拡大又は縮小するため、当該拡大又は縮小のための操作を容易にすることができる。
【０００８】
本発明において、前記指示体として、第１指示体と第２指示体とがあり、前記設定手段は、前記第１指示体が用いられた場合には、前記第１領域で検出された前記位置に基づいて、前記第１画像から切り出す領域を移動させ、前記第２領域で検出された前記位置に基づいて、前記第２画像から切り出す領域を移動させ、前記第２指示体が用いられた場合には、前記第１領域で検出された前記位置に基づいて、前記第１画像から切り出す領域を拡大又は縮小し、前記第２領域で検出された前記位置に基づいて、前記第２画像から切り出す領域を拡大又は縮小してもよい。
この発明によれば、ユーザーが第１指示体と第２指示体とを使い分けることによって、画像を切り出す領域を移動するための操作と、画像を切り出す領域を拡大又は縮小するため操作とを行うことができる。
【０００９】
本発明において、前記設定手段は、前記第１画像が表示された領域において、前記指示体により指示された領域を、前記第１画像から切り出す領域に設定し、前記第２画像が表示された領域において、前記指示体により指示された領域を、前記第２画像から切り出す領域に設定してもよい。
この発明によれば、ユーザーが指示体で指示した領域だけを切り出して表示することができる。
【００１０】
本発明において、前記設定手段は、前記第１画像が表示された領域において、前記指示体により指示された領域、及び当該領域に隣り合う領域を、前記第１画像から切り出す領域に設定し、前記第２画像が表示された領域において、前記指示体により指示された領域、及び当該領域に隣り合う領域を、前記第２画像から切り出す領域に設定してもよい。
この発明によれば、ユーザーが指示体で指示した領域に加え、当該領域と隣り合う領域を切り出して画像を表示することができる。
【００１１】
本発明において、前記設定手段は、前記第１領域のアスペクト比と同じアスペクト比で、前記第１画像から切り出す領域を設定し、前記第２領域のアスペクト比と同じアスペクト比で、前記第２画像から切り出す領域を設定してもよい。
この発明によれば、余白に相当する領域を発生させないようにすることができる。
【００１２】
また、本発明に係る表示方法は、第１画像情報、及び第２画像情報を取得するステップと、前記第１画像情報が表す第１画像、及び前記第２画像情報が表す第２画像を、表示面に表示するステップと、指示体により指示された前記表示面上の位置を検出するステップと、前記第１画像が表示された領域で検出した前記位置に基づいて、前記第１画像から切り出す領域を設定し、前記第２画像が表示した領域で検出された前記位置に基づいて、前記第２画像から切り出す領域を設定するステップと、前記表示面を第１領域、及び第２領域を含む複数の領域に分割し、前記第１画像情報に基づいて、前記第１画像から切り出した領域の第３画像を前記第１領域に表示し、前記第２画像情報に基づいて、前記第２画像から切り出した領域の第４画像を前記第２領域に表示するステップとを備えることを特徴とする。
この発明によれば、画像が表示された領域で指示された位置に基づいて、当該画像から切り出す領域を設定するため、単一の画面を複数の領域に分割して、各領域にユーザーが指示した画像を表示するための操作を容易にするための技術を提供することができる。
【図面の簡単な説明】
【００１３】
【図１】本発明の一実施形態に係る表示システムの全体構成を示す図。
【図２】同実施形態に係るプロジェクターのハードウェア構成を示すブロック図。
【図３】同実施形態に係るプロジェクターの制御部の機能構成を示すブロック。
【図４】同実施形態に係るプロジェクターの分割画面表示の基本動作を示すフローチャート。
【図５】同実施形態に係る分割画面表示の基本動作の具体例の説明図。
【図６】同実施形態に係る分割画面表示の基本動作の具体例の説明図。
【図７】同実施形態に係るプロジェクターの移動モードに関する処理の流れを示すフローチャート。
【図８】同実施形態に係る移動モードに関する処理の具体例の説明図。
【図９】同実施形態に係るプロジェクターの拡縮モードに関する処理の流れを示すフローチャート。
【図１０】同実施形態に係る拡縮モードに関する処理の一例の説明図。
【図１１】同実施形態に係る拡縮モードに関する処理の他の具体例の説明図。
【図１２】同実施形態に係るプロジェクターの複数指示体モードに関する処理の流れを示すフローチャート。
【図１３】本発明の変形例に係る分割画面表示の表示例を示す図。
【図１４】本発明の変形例に係る分割画面表示の表示例を示す図。
【発明を実施するための形態】
【００１４】
［実施形態］
以下、本発明の実施の形態について図面を参照しつつ説明する。
図１は、本発明の一実施形態に係る表示システム１の全体構成を示す図である。表示システム１は、プロジェクター１０と、情報処理装置２０Ａ，２０Ｂと、操作デバイス３０とを備える。
【００１５】
プロジェクター１０は、例えば液晶プロジェクターで、スクリーン４０上に画像を投写する投写型の表示装置である。プロジェクター１０は、例えばＲ（Red）、Ｇ（Green）、Ｂ（Blue）三原色の各色成分に対応した画像信号に基づいて、スクリーン４０にカラーの画像を投写する。スクリーン４０は、ここでは反射型のスクリーンであり、プロジェクター１０により画像（映像）が投写される投写面である。この投写により、スクリーン４０上で画面ＳＣが表示される。投写面は、画像を表示する表示面に相当する。
【００１６】
情報処理装置２０Ａ，２０Ｂは、例えば汎用のパーソナルコンピューターで、各々がプロジェクター１０に入力される画像信号の信号源（映像ソース）となる。情報処理装置２０Ａ，２０Ｂの各々は、ここでは、プロジェクター１０と有線で接続されるが、無線で接続されてもよく、接続の方式は特に問わない。本実施形態では、情報処理装置２０Ａが第１の信号源、情報処理装置２０Ｂが第２の信号源として機能する。ただし、一台の情報処理装置が、第１の信号源としての機能と、第２の信号源としての機能とを兼ねていてもよい。情報処理装置２０Ａ，２０Ｂを使用するユーザーを、「ユーザーＵ」とする。
【００１７】
情報処理装置２０Ａ，２０Ｂは、本実施形態では、文字や図形、写真等の表示要素を含むプレゼンテーション資料を表示するための画像信号を出力するものとする。ユーザーＵは、例えば、プロジェクター１０により投写されたプレゼンテーション資料を参照しながら、プレゼンテーションを行う人物である。
なお、情報処理装置２０Ａ，２０Ｂは、プレゼンテーション資料以外の画像を表示するための画像信号を出力してもよい。また、この画像信号は、静止画像に限られず、動画像を示してもよい。
【００１８】
操作デバイス３０は、例えばペン型のデバイスであり、スクリーン４０上の位置を指示するためにユーザーＵが使用する指示体である。操作デバイス３０は、ペン型に限らず、棒形状等の他形状の操作デバイスであってもよい。また、操作デバイス３０は、ユーザーＵの手や指等の指示体で代用されてもよい。更に、操作デバイス３０を含む複数の指示体が、ユーザーＵによって使用されてもよい。
【００１９】
図２は、プロジェクター１０のハードウェア構成を示すブロック図である。図２に示すように、プロジェクター１０は、ＣＰＵ（Central Processing Unit）１１と、ＲＯＭ（Read Only Memory）１２と、ＲＡＭ（Random Access Memory）１３と、操作部１４と、画像処理部１５と、投写部１６と、カメラ部１７と、第１インターフェース１８と、第２インターフェース１９とを備える。
ＣＰＵ１１は、ＲＯＭ１２等の記憶手段に記憶されたプログラムを、ＲＡＭ１３に読み出して実行することにより、プロジェクター１０の各部を制御するプロセッサーである。操作部１４は、プロジェクター１０の電源のオン／オフや、スクリーン４０への画像の投写に用いる信号源の切り替え等の、各種操作を行うための操作子を備えた操作手段である。
【００２０】
画像処理部１５は、例えばＡＳＩＣ（Application Specific Integrated Circuit）等の画像処理回路を備え、プロジェクター１０が行う画像処理を司る。画像処理部１５は、ＣＰＵ１１の制御に従って、例えば、第１インターフェース１８、及び第２インターフェース１９に入力された画像信号に対して、リサイズ処理や台形補正等の所定の画像処理を行って、画像情報を生成する。
【００２１】
投写部１６は、画像処理部１５による画像処理後の画像情報に基づいて、スクリーン４０に画像を投写する。投写部１６は、光源１６１と、液晶パネル１６２と、光学系１６３と、光源制御部１６４と、パネル駆動部１６５と、光学系駆動部１６６とを有する。光源１６１は、例えばＬＥＤ（Light Emitting Diode）や半導体ダイオードを含む固体光源で、液晶パネル１６２に光を射出する。液晶パネル１６２は、例えば透過型の液晶パネルで、光源１６１から入射した光を変調する光変調器である。液晶パネル１６２は、ＲＧＢの三原色の各色に対応して設けられる。光学系１６３は、例えばレンズやレンズ調整用の駆動回路を備え、液晶パネル１６２により変調された光（画像光）を拡大して、スクリーン４０上に投写する。光源制御部１６４は、ＣＰＵ１１の制御に従って光源１６１を駆動する。パネル駆動部１６５は、ＣＰＵ１１から供給された画像情報に基づいて液晶パネル１６２を駆動する。光学系駆動部１６６は、ＣＰＵ１１の制御に従って光学系１６３の駆動回路を駆動する。
なお、光変調器として、反射型の液晶パネルを採用してもよいし、デジタルマイクロミラーデバイス（ＤＭＤ）等を採用してもよい。
【００２２】
カメラ部１７は、イメージセンサー（例えばＣＭＯＳセンサー又はＣＣＤセンサー）を有し、スクリーン４０を撮像する。操作デバイス３０は、所定の間隔で繰り返し発光する。ＣＰＵ１１は、カメラ部１７により撮像された操作デバイス３０の発光光に基づいて、操作デバイス３０により指示されたスクリーン４０上の位置を検出する。
なお、プロジェクター１０は、例えば、ライトカーテン等を用いた方法などにより、操作デバイス３０の反射光にて指示する位置を検出してもよい。また、プロジェクター１０は、パターン認識等により操作デバイス３０の形を認識することにより、操作デバイス３０で指示された位置を検出してもよい。
【００２３】
第１インターフェース１８は、例えば所定の規格に準拠したコネクターを備えたインターフェースで、ここでは情報処理装置２０Ａが接続される。第２インターフェース１９は、例えば所定の規格に準拠したコネクターを備えたインターフェースで、ここでは情報処理装置２０Ｂが接続される。所定の規格とは、例えば、ＨＤＭＩ（High-Definition Multimedia Interface：登録商標）やＵＳＢ（Universal Serial Bus）であるが、これらの規格に限られない。
【００２４】
図３は、プロジェクター１０のＣＰＵ１１の機能構成を示すブロック図であるＣＰＵ１１は、プログラムを実行することにより、取得手段１１１と、表示制御手段１１２と、検出手段１１３と、設定手段１１４とに相当する機能を実現する。
取得手段１１１は、第１インターフェース１８に入力された画像信号に応じた第１画像情報、及び第２インターフェース１９に入力された画像信号に応じた第２画像情報を取得する。
【００２５】
表示制御手段１１２は、スクリーン４０に画像を表示（即ち投写）するための制御を行う。例えば、表示制御手段１１２は、取得手段１１１により取得された第１画像情報が表す第１画像、及び、取得手段１１１により取得された第２画像情報が表す第２画像を、スクリーン４０に表示させる。
【００２６】
検出手段１１３は、操作デバイス３０により指示された、スクリーン４０上の位置（実投写領域における位置）を検出する。検出手段１１３は、カメラ部１７の撮像画像を表す撮影データを解析して、操作デバイス３０の位置、例えば、操作デバイス３０の先端の座標を検出する。
【００２７】
設定手段１１４は、検出手段１１３により検出された位置に基づいて、スクリーン４０に表示された画像から切り出す領域（以下「切り出し領域」と称する。）を設定する。設定手段１１４は、スクリーン４０上の第１画像が表示された領域で検出された位置に基づいて、この第１画像の切り出し領域を設定する。設定手段１１４は、第２画像が表示された領域で検出された位置に基づいて、この第２画像の切り出し領域を設定する。設定手段１１４は、ここでは、操作デバイス３０により指示された領域を、切り出し領域に設定する。
【００２８】
表示制御手段１１２は、設定手段１１４により設定された切り出し領域の画像を、スクリーン４０に表示する。具体的には、表示制御手段１１２は、スクリーン４０を第１領域、及び第２領域を含む複数の領域に分割する。そして、表示制御手段１１２は、第１画像情報に基づいて、第１画像から切り出した領域の第３画像を、第１領域に表示する。表示制御手段１１２は、第２画像情報に基づいて、第２画像から切り出した領域の第４画像を、第２領域に表示する。このように、単一の画面を複数の領域に分割して、各領域に切り出し領域の画像を表示することを、以下では「分割画面表示」という。
【００２９】
設定手段１１４は、更に、分割画面表示が行われているときに、第１領域で検出された位置に基づいて、第１画像から切り出す領域を移動させ、第２領域で検出された位置に基づいて、第２画像から切り出す領域を移動させる。設定手段１１４は、更に、分割画面表示が行われているときに、第１領域で検出された位置に基づいて、第１画像から切り出す領域を拡大又は縮小し、第２領域で検出された位置に基づいて、第２画像から切り出す領域を拡大又は縮小する。
【００３０】
次に、本実施形態の動作を説明する。
＜Ａ：分割画面表示の基本動作＞
図４は、プロジェクター１０の分割画面表示の基本動作を示すフローチャートである。図５及び図６は、分割画面表示の基本動作の具体例を説明する図である。
プロジェクター１０のＣＰＵ１１は、第１画像情報、及び第２画像情報を取得する（ステップＳ１）。第１画像情報は、情報処理装置２０Ａから、第１インターフェース１８に入力された画像信号に応じて生成された画像情報である。第２画像情報は、情報処理装置２０Ｂから、第２インターフェース１９に入力された画像信号に応じて生成された画像情報である。次に、ＣＰＵ１１は、操作デバイス３０により指示されたスクリーン４０上の位置の検出を開始する（ステップＳ２）。以降、ＣＰＵ１１は、スクリーン４０上において指示された位置の検出を、例えば所定の周期で、繰り返し行う。
【００３１】
次に、ＣＰＵ１１は、第１画像情報が表す画像、及び第２画像情報が表す画像を、スクリーン４０に表示させる（ステップＳ３）。ステップＳ３では、情報処理装置２０Ａ又は２０Ｂの一方を用いて画面を表示する、「単画面表示」が行われるものとする。
【００３２】
図５（Ａ）には、ステップＳ３の単画面表示の一例が示されている。図５（Ａ）の左側には、情報処理装置２０Ａを用いて表示される、画面ＳＣＡ（第１画像）が示されている。画面ＳＣＡには、「資料Ａ」という文字列や、円グラフを意味する表示要素Ｕ１、表示要素Ｕ１の左側に配置された「２０１５年実績」という文字列、表示要素Ｕ１の下側に配置された文字列（「〜」で示した領域）が含まれる。図５（Ａ）の右側には、情報処理装置２０Ｂを用いて表示される、画面ＳＣＢ（第２画像）が示されている。画面ＳＣＢには、「資料Ｂ」という文字列や、折れ線グラフを意味する表示要素Ｕ２、表示要素Ｕ２の左側に配置された文字列（「〜」で示した領域）が含まれる。
【００３３】
図４に戻り、ＣＰＵ１１は、ステップＳ３の表示に使用されている信号源を判定する（ステップＳ４）。ここで、スクリーン４０に画面ＳＣＡが表示されていたとする（ステップＳ４；２０Ａ）。この場合、ＣＰＵ１１は、画面ＳＣＡに対して切り出し領域が指示されたかどうかを判定する（ステップＳ５）。ユーザーＵは、画面ＳＣＡのうち、拡大表示させたい領域を切り出し領域として指示する。
【００３４】
図５（Ｂ）には、表示要素Ｕ１を含む切り出し領域Ｌ１を指示するための操作が示されている。ユーザーＵは、操作デバイス３０を用いて、スクリーン４０上の位置を指示する操作を行って、矩形の切り出し領域Ｌ１を指示する。ユーザーＵは、例えば、矩形の対頂点となる点Ｐ１１，Ｐ１２の位置を、操作デバイス３０を用いて指示する。この際に、ＣＰＵ１１は、図５（Ｂ）に示す破線の矢印に示す方向のスライド操作を検出して、点Ｐ１１，Ｐ１２を決定してもよい。スライド操作は、スクリーン４０上で、一方向に操作デバイス３０を移動（スライド）させる操作である。
なお、図１の例では、切り出し領域Ｌ１の範囲が実線により可視化されるが、他の表示方法によりこの範囲が可視化されてもよいし、不可視とされてもよい。
【００３５】
ステップＳ５で「ＮＯ」と判定した場合、ＣＰＵ１１は、ステップＳ３の処理に戻す。ステップＳ５で「ＹＥＳ」と判定した場合、ＣＰＵ１１は、操作デバイス３０で指示された切り出し領域を設定する（ステップＳ６）。ＣＰＵ１１は、ここでは、切り出し領域Ｌ１を設定する。
【００３６】
次に、ＣＰＵ１１は、分割画面表示を行うかどうかを判定する（ステップＳ７）。分割画面表示を開始する条件は特に問わないが、例えば、ユーザーＵの操作により分割画面表示の開始が指示されたか、又は、情報処理装置２０Ａ，２０Ｂの各々の画像から切り出し領域が設定されたことを条件とする。ここでは、ＣＰＵ１１は「ＮＯ」と判定し、ステップＳ３の処理に戻す。
【００３７】
ステップＳ３に戻り、次に、図５（Ｂ）で説明した画面ＳＣＢが単画面表示されたとする（ステップＳ４；２０Ｂ）。この場合、ＣＰＵ１１は、画面ＳＣＢに対して切り出し領域が指示されたかどうかを判定する（ステップＳ８）。ユーザーＵは、画面ＳＣＢのうち、拡大表示させたい領域を切り出し領域として指示する。
【００３８】
図５（Ｃ）には、表示要素Ｕ２を含む切り出し領域Ｌ２を指示するための操作が示されている。ユーザーＵは、操作デバイス３０を用いて、スクリーン４０上の位置を指示する操作を行って、矩形の切り出し領域Ｌ２を指示する。この指示のための操作は、図５（Ｂ）で説明した操作と同じでよい。ここでは、ユーザーＵは、矩形の対頂点となる点Ｐ２１，Ｐ２２の位置を、操作デバイス３０を用いて指示する。
ステップＳ８で「ＮＯ」と判定した場合、ＣＰＵ１１は、ステップＳ３の処理に戻す。ステップＳ８で「ＹＥＳ」と判定した場合、ＣＰＵ１１は、操作デバイス３０で指示された切り出し領域を設定する（ステップＳ９）。ＣＰＵ１１は、ここでは、切り出し領域Ｌ２を設定する。
【００３９】
次に、ＣＰＵ１１は、分割画面表示を行うかどうかを判定する（ステップＳ７）。ステップＳ７で「ＹＥＳ」と判定した場合、ＣＰＵ１１は、画面ＳＣＡ，ＳＣＢの各々に設定した切り出し領域から画像を切り出し、切り出した画像を合成することにより、分割画面表示を行う（ステップＳ１０）。
【００４０】
図６に示すように、ＣＰＵ１１は、スクリーン４０に表示する画面ＳＣＤを、第１領域Ｔ１及び第２領域Ｔ２に分割する。第１領域Ｔ１、及び第２領域Ｔ２は、ここでは、スクリーン４０を左右に等分割して構成される。そして、ＣＰＵ１１は、第１画像情報に基づいて、切り出し領域Ｌ１の画像ＩＭ１を、第１領域Ｔ１に表示し、第２画像情報に基づいて、切り出し領域Ｌ２の画像ＩＭ２を、第２領域Ｔ２に表示する。この際、ＣＰＵ１１は、切り出し領域Ｌ１（画像ＩＭ１）の左右の長さと、第１領域Ｔ１の長さとが一致するように、画像ＩＭ１の拡大率を設定する。拡大率の調整は、左右方向、及び上下方向に同じ倍率で行われるものとする。同様に、ＣＰＵ１１は、切り出し領域Ｌ２（画像ＩＭ２）の左右の長さと、第２領域Ｔ２の長さとが一致するように、画像ＩＭ２の拡大率を設定する。図６及び以下の説明で参照する図面における斜線部は、切り出された領域の画像が表示されない領域で、即ち余白に相当する領域である。
【００４１】
このようにユーザーＵは、拡大表示させる領域を指示するために、スクリーン４０上の位置を、操作デバイス３０を用いて指示する操作を行えばよい。即ち、ユーザーＵは、情報処理装置２０Ａ，２０Ｂを個別に操作しなくてよいから、この拡大表示のための操作を容易に行うことができる。
【００４２】
次に、分割画面表示が行われているときの各モードの動作を説明する。
＜Ｂ：移動モード＞
図７は、プロジェクター１０の移動モードに関する処理の流れを示すフローチャートである。図８は、移動モードに関する処理の具体例を説明する図である。以下で説明する動作中において、ＣＰＵ１１は、操作デバイス３０を用いて指示されたスクリーン４０上の位置を繰り返し検出する。
ＣＰＵ１１は、まず、移動モードかどうかを判定する（ステップＳ１１）。移動モードへの移行の条件は特に問わないが、例えば、操作デバイス３０を用いてスクリーン４０上の同一位置が所定時間継続して指示されたこと（即ち、静止状態になったこと）を条件とする。図８（Ａ）に示すように、画面ＳＣＤの画像ＩＭ１が表示された領域で、操作デバイス３０が静止状態となった場合、又は、画像ＩＭ２が表示された領域で、操作デバイス３０が静止状態になった場合には、ＣＰＵ１１は、指示された位置に手のひらを模したアイコンを表示する。このアイコンを視認したユーザーＵは、移動モードに移行したことを把握する。
【００４３】
次に、ＣＰＵ１１は、操作デバイス３０を用いたスライド操作を検出したかどうかを判定する（ステップＳ１２）。ステップＳ１２で「ＹＥＳ」と判定した場合、ＣＰＵ１１は、スライド操作を検出した領域を判定する（ステップＳ１３）。ＣＰＵ１１は、第１領域Ｔ１でスライド操作を検出したと判定した場合（ステップＳ１３；Ｔ１）、このスライド操作に応じて、画面ＳＣＡに対する切り出し領域を移動させる（ステップＳ１４）。具体的には、ＣＰＵ１１は、スライド操作の方向の反対方向に、スライド操作の移動量に応じた移動量で、切り出し領域を移動させる。そして、ＣＰＵ１１は、移動後の切り出し領域に基づいて、分割画面表示を行う（ステップＳ１５）。
【００４４】
図８（Ｂ）に示すように、画像ＩＭ１が表示された第１領域Ｔ１で、矢印Ａｒ１方向にスライド操作が行われたとする。この場合、ＣＰＵ１１は、切り出し領域Ｌ１を矢印Ａｒ１方向の反対方向に移動させ、分割画面表示を行う。これにより、第１領域Ｔ１では、表示要素Ｕ１の左側に位置していた「２０１５年実績」という文字列が表示される。
【００４５】
ステップＳ１３で、ＣＰＵ１１が、第２領域Ｔ２でスライド操作を検出したと判定した場合（ステップＳ１３；Ｔ２）、このスライド操作に応じて、画面ＳＣＢに対する切り出し領域を移動させる（ステップＳ１６）。この切り出し領域の移動に関する処理は、ステップＳ１４と同じである。そして、ＣＰＵ１１は、移動後の切り出し領域に基づいて、分割画面表示を行う（ステップＳ１５）。
【００４６】
図８（Ｂ）に示すように、画像ＩＭ２が表示された第２領域Ｔ２で、矢印Ａｒ２方向にスライド操作が行われたとする。この場合、ＣＰＵ１１は、切り出し領域Ｌ２を矢印Ａｒ２方向の反対方向に移動させ、分割画面表示を行う。これにより、第２領域Ｔ２では、表示要素Ｕ２の左側に位置していた文字列が表示される。
切り出し領域の移動を指示するための操作は、図８で説明した操作に限られない。ＣＰＵ１１は、例えば、スクロールバーや操作ボタン等の操作子を意味する操作子画像の操作を検出して、切り出し領域を移動させてもよい。
【００４７】
移動モードに関する処理により、ユーザーＵは、画面ＳＣＡ，ＳＣＢの単画面表示に戻さなくとも、画面ＳＣＤを表示させたまま、操作デバイス３０を用いて切り出し領域を移動させることができる。よって、ユーザーＵにとっては、切り出し領域を移動させるための操作を容易に行うことができる。
【００４８】
＜Ｃ：拡縮モード＞
図９は、プロジェクター１０の拡縮モードに関する処理の流れを示すフローチャートである。図１０は、拡縮モードに関する処理の具体例を説明する図である。以下で説明する動作中において、ＣＰＵ１１は、操作デバイス３０を用いて指示されたスクリーン４０上の位置を繰り返し検出する。
ＣＰＵ１１は、まず、拡縮モードかどうかを判定する（ステップＳ２１）。拡縮モードへの移行の条件は特に問わないが、例えば、操作デバイス３０を用いてスクリーン４０上の位置を連続して複数回（例えば、２回タッチで）指示されたことを条件とする。ＣＰＵ１１は、拡縮モードに移行すると、図１０（Ａ）に示す画面ＳＣＤを表示する。具体的には、ＣＰＵ１１は、第１領域Ｔ１において、拡大表示を指示するための操作子画像Ｂ１と、縮小表示を指示するための操作子画像Ｂ２とを表示する。更に、ＣＰＵ１１は、第２領域Ｔ２において、拡大表示を指示するための操作子画像Ｂ３と、縮小表示を指示するための操作子画像Ｂ４とを表示する。
【００４９】
次に、ＣＰＵ１１は、拡大表示又は縮小表示が指示されたかどうかを判定する（ステップＳ２２）。ここでは、ＣＰＵ１１は、操作子画像Ｂ１〜Ｂ４のいずれかが、操作デバイス３０を用いて指示（操作）されたかどうかを判定する。
ステップＳ２２で「ＹＥＳ」と判定した場合、ＣＰＵ１１は、拡大表示又は縮小表示が指示された領域を判定する（ステップＳ２３）。具体的には、ＣＰＵ１１は、操作子画像Ｂ１の位置を指示する操作を検出した場合、第１領域Ｔ１に表示した画像の拡大表示が指示されたと判定し、操作子画像Ｂ２の位置を指示する操作を検出した場合、第１領域Ｔ１に表示した画像の縮小表示が指示されたと判定する。また、ＣＰＵ１１は、操作子画像Ｂ３の位置を指示する操作を検出した場合、第２領域Ｔ２に表示した画像の拡大表示が指示されたと判定し、操作子画像Ｂ４の位置を指示する操作を検出した場合、第２領域Ｔ２に表示した画像の縮小表示が指示されたと判定する。
【００５０】
ＣＰＵ１１は、操作子画像Ｂ１又はＢ２が指示された場合には、画面ＳＣＡに対する切り出し領域を拡大又は縮小する（ステップＳ２４）。そして、ＣＰＵ１１は、拡大又は縮小した切り出し領域の画像を、第１領域Ｔ１に表示させた分割画面表示を行う（ステップＳ２５）。操作子画像Ｂ１が指示された場合、ＣＰＵ１１は、図１０（Ｂ）に示すように、画像ＩＭ１を上下方向及び左右方向に同じ倍率で拡大して、画像ＩＭ３を表示する。操作子画像Ｂ２が指示された場合、ＣＰＵ１１は、図１０（Ｃ）に示すように、画像ＩＭ１を上下方向及び左右方向に同じ縮小率で縮小して、画像ＩＭ５を表示する。
【００５１】
ＣＰＵ１１は、操作子画像Ｂ３又はＢ４が指示された場合、画面ＳＣＢに対する切り出し領域を拡大又は縮小する（ステップＳ２６）。そして、ＣＰＵ１１は、拡大又は縮小した切り出し領域の画像を、第２領域Ｔ２に表示させた分割画面表示を行う（ステップＳ２５）。操作子画像Ｂ３が指示された場合、ＣＰＵ１１は、図１０（Ｂ）に示すように、画像ＩＭ２を上下方向及び左右方向に同じ倍率で拡大して、画像ＩＭ４を表示する。操作子画像Ｂ４が指示された場合、ＣＰＵ１１は、図１０（Ｃ）に示すように、画像ＩＭ２を上下方向及び左右方向に同じ縮小率で縮小して、画像ＩＭ６を表示する。
【００５２】
拡縮モードに関する処理により、ユーザーＵは、画面ＳＣＡ，ＳＣＢの単画面表示に戻さなくとも、画面ＳＣＤを表示させたまま、操作デバイス３０を用いて切り出し領域を拡大又は縮小させるための操作を行うことができる。よって、ユーザーＵにとっては、切り出し領域を拡大又は縮小させるための操作を容易に行うことができる。
【００５３】
拡大表示又は縮小表示を指示するための操作は、図１０で説明した操作に限られない。ＣＰＵ１１は、例えば、スクロールバーの操作によって、拡大又は縮小を指示する操作を検出してもよい。
更に、分割画面表示の基本動作と同様、ＣＰＵ１１は、操作デバイス３０を用いて切り出し領域を指示する操作に応じて、切り出し領域を拡大してもよい。例えば、図１１（Ａ）に示すように、画像ＩＭ１が表示された領域で、切り出し領域Ｌ３が指示されたとする。この場合、ＣＰＵ１１は、図１１（Ｂ）に示すように、切り出し領域Ｌ３の画像ＩＭ３を、第１領域Ｔ１に表示する。また、画像ＩＭ２が表示された領域で、切り出し領域Ｌ４が指示されたとする。この場合、ＣＰＵ１１は、図１１（Ｂ）に示すように、切り出し領域Ｌ４の画像ＩＭ４を、第２領域Ｔ２に表示する。
【００５４】
＜Ｄ：複数指示体モード＞
図１２は、プロジェクター１０の複数指示体モードに関する処理の流れを示すフローチャートである。図１３は、複数指示体モードに関する処理の具体例を説明する図である。プロジェクター１０は、操作デバイス３０のほか、他の指示体（ここでは、ユーザーＵの手又は指）が使用される場合に、複数指示体モードで動作する。以下で説明する動作中において、ＣＰＵ１１は、操作デバイス３０を用いて指示されたスクリーン４０上の位置を繰り返し検出する。
【００５５】
ＣＰＵ１１は、第１領域Ｔ１又は第２領域Ｔ２上の位置が指示された場合に、この指示に用いられた指示体を判定する（ステップＳ３１）。ＣＰＵ１１は、手又は指（第１指示体）が使用されたと判定した場合（ステップＳ３１：手／指）、移動モードを選択する（ステップＳ３２）。そして、ＣＰＵ１１は、＜Ｂ：移動モード＞の項で説明した処理を実行するべく、ステップＳ１２の処理に進める。
【００５６】
ＣＰＵ１１は、操作デバイス３０（第２指示体）が使用されたと判定した場合（ステップＳ３１：操作デバイス）、拡縮モードを選択する（ステップＳ３３）。そして、ＣＰＵ１１は、＜Ｃ：拡縮モード＞の項で説明した処理を実行するべく、ステップＳ２２の処理に進める。
【００５７】
なお、使用される指示体とモードとの関係は、上述した関係に限られない。操作デバイス３０が複数使用される場合には、ＣＰＵ１１は、操作デバイス３０の各々を識別してモードを選択してもよい。操作デバイス３０の識別方法としては、例えば操作デバイス３０の発光パターンを認識する方法があるが、その他の方法が用いられてもよい。
複数指示体モードに関する処理により、ユーザーＵは、複数の指示体を使い分けることによって、移動モードに関する処理を指示する操作と、拡縮モードに関する処理を指示する操作とを行うことができる。
【００５８】
［変形例］
本発明は、上述した実施形態と異なる形態で実施することが可能である。また、以下に示す変形例は、各々を適宜に組み合わせてもよい。
上述した実施形態では、プロジェクター１０は、操作デバイス３０を用いて指示された領域を、切り出し領域として設定していた。これに代えて、プロジェクター１０は、画面ＳＣＡが表示されている場合、操作デバイス３０を用いて指示された領域、及びこの領域に隣り合う領域を、画面ＳＣＡに対する切り出し領域として設定してもよい。同様に、プロジェクター１０は、画面ＳＣＢが表示されている場合、操作デバイス３０を用いて指示された領域、及びこの領域に隣り合う領域を、画面ＳＣＢに対する切り出し領域として設定してもよい。そして、プロジェクター１０は、図１３に示すように、上述した実施形態では余白に相当する領域であった領域にも、切り出し領域の画像を表示する。図１３の例では、ＣＰＵ１１は、第１領域Ｔ１に、「資料Ａ」という文字列を含む画像ＩＭ７を表示し、第２領域Ｔ２に、「資料Ｂ」という文字列の一部を含む画像ＩＭ８を表示する。
これにより、余白に相当する領域が発生しなくなるとともに、ユーザーＵは、自身が切り出すことを指示した領域の周辺にある画像も視認することができる。
【００５９】
また、切り出し領域を指示するための操作は、図５（Ｂ），（Ｃ）で説明した操作に限られない。ユーザーＵは、操作デバイス３０を用いて、自由曲線によって閉じた図形を描くことにより、切り出し領域を指示してもよい。この場合、プロジェクター１０は、この図形の外接矩形を切り出し領域として設定する。また、切り出し領域の形状及びサイズが予め決まっている場合、プロジェクター１０は、スクリーン４０上の一点を指示する操作に応じて、切り出し領域を設定してもよい。
【００６０】
プロジェクター１０は、分割画面表示における第１領域Ｔ１のアスペクト比と同じアスペクト比で、第１画像の切り出し領域を設定してもよい。また、プロジェクター１０は、分割画面表示における第２領域Ｔ２のアスペクト比と同じアスペクト比で、第２画像の切り出し領域を設定してもよい。図１４（Ａ）に示すように、第１領域Ｔ１及び第２領域Ｔ２のアスペクト比を、Ｘ１：Ｙ１とする。この場合、ＣＰＵ１１は、切り出し領域Ｌ１，Ｌ２のアスペクト比をＸ２：Ｙ２を、Ｘ２：Ｙ２＝Ｘ１：Ｙ１となるように設定する。
これにより、図１４（Ｂ）に示すように、プロジェクター１０が操作デバイス３０を用いて指示された領域を、切り出し領域として設定した場合でも、余白に相当する領域が発生しなくなる。
【００６１】
上述した実施形態のプロジェクター１０の構成又は動作の一部が省略されてもよい。
例えば、プロジェクター１０は、移動モード、拡縮モード、及び複数指示体モードの少なくとも一部が搭載されない構成であってもよい。また、プロジェクター１０は、単画面表示した画像を用いて、切り出し領域を設定する構成を有しなくてもよい。即ち、プロジェクター１０は、分割画面表示時においてのみ、切り出し領域を設定する構成であってもよい。
【００６２】
プロジェクター１０は、３つ以上の信号源を使用して、単画面表示を行ってもよい。この場合のプロジェクター１０の構成、及び動作は、上述した実施形態の説明から類推できるはずである。
【００６３】
本発明の表示装置は、投写型の表示装置（プロジェクター）に限られない。本発明の表示装置は、例えば、タッチスクリーンを採用したモニター直視型の表示装置であってもよい。この種の表示装置として、スマートフォンやタブレット型端末、やＰＤＡ（Personal Digital Assistant）等の表示装置がある。この変形例の表示装置は、画像を表示する表示面と、この表示面に重ねて設けられたタッチスクリーンとを備え、このタッチスクリーンを用いて表示面上に指示された位置を検出する。この変形例の表示装置においても、上述した実施形態と同様の作用により、単一の画面を複数の領域に分割して、各領域にユーザーが指示した画像を表示するための操作を容易にすることができる。
【００６４】
ＣＰＵ１１が実現する各機能は、複数のプログラムの組み合わせによって実現され、又は、複数のハードウェア資源の連係によって実現され得る。また、ＣＰＵ１１の機能が、プログラムを用いて実現される場合、このプログラムは、磁気記録媒体（磁気テープ、磁気ディスク（ＨＤＤ（Hard Disk Drive）、ＦＤ（Flexible Disk））等）、光記録媒体（光ディスク等）、光磁気記録媒体、半導体メモリー等のコンピューター読み取り可能な記録媒体に記憶した状態で提供されてもよいし、ネットワークを介して配信されてもよい。また、本発明は、表示方法として把握することも可能である。
【符号の説明】
【００６５】
１…表示システム、１０…プロジェクター、１１…ＣＰＵ、１１１…取得手段、１１２…表示制御手段、１１３…検出手段、１１４…設定手段、１２…ＲＯＭ、１３…ＲＡＭ、１４…操作部、１５…画像処理部、１６…投写部、１７…カメラ部、１８…第１インターフェース、１９…第２インターフェース、２０Ａ，２０Ｂ…情報処理装置、３０…操作デバイス、４０…スクリーン
【図１】
0006520194.tif 000002
【図２】
0006520194.tif 000003
【図３】
0006520194.tif 000004
【図４】
0006520194.tif 000005
【図５】
0006520194.tif 000006
【図６】
0006520194.tif 000007
【図７】
0006520194.tif 000008
【図８】
0006520194.tif 000009
【図９】
0006520194.tif 000010
【図１０】
0006520194.tif 000011
【図１１】
0006520194.tif 000012
【図１２】
0006520194.tif 000013
【図１３】
0006520194.tif 000014
【図１４】
0006520194.tif 000015